(57)【要約】【課題】いつでも簡単に使用でき、肩から指先まで完全にカバーできるシートベルト用パット付日焼け防止カバーを提供する。【解決手段】シートベルトに着脱する胸パット部１と胸パット部１に着脱する腕カバー部２とから成る。前記胸パット部１は、布体４の両側端の辺縁部位４ｃ、４ｄの対向面に面ファスナー５ａ、５ｂを取着したパット本体３の表側にカバー収納ポケット６を形成し、該カバー収納ポケット６の内面６ａに面ファスナー９を取着する。前記腕カバー部２は、布地１０の長手側の両辺縁１０ａ、１０ｂの数箇所に取着した面ファスナー１１、１２を付着させて該布地１０を筒状にして片腕全体を被覆可能とし、該布地１０の基端部１０ｃの中央から布地１０の中央に向けて切れ目１３を形成し、該切れ目１３の両側の基端部辺縁部１４、１５に沿ってそれぞれカバー収納ポケット６の面ファスナー９に対応する面ファスナー１６を設ける。【選択図】    図２
2007112379.tif 000002
【特許請求の範囲】
【請求項１】
自動車のシートベルトに着脱する布製の胸パット部と、該胸パット部に着脱する布製の腕カバー部とから成り、
前記胸パット部は、シートベルトを包持可能に二つ折りした布体の両側端の辺縁部位の対向面に面ファスナーを取着してパット本体を形成し、該パット本体の表側に開口部を窓側に向けたカバー収納ポケットを一体的に設け、該カバー収納ポケットの内部面に面ファスナーを設け、
前記腕カバー部は、布地の長手側の両辺縁の数箇所にそれぞれ対応させて取着した面ファスナーを付着させて該布地を筒状にして片腕全体を被覆可能とし、該布地の短手側の基端部の中央から布地の中央に向けて前記カバー収納ポケットの深さよりも少し長い切れ目を形成し、該切れ目の両側の基端部の辺縁部に沿ってそれぞれ前記カバー収納ポケット内の面ファスナーに対応した面ファスナーを設け、
前記カバー収納ポケット内の面ファスナーと前記腕カバー部の面ファスナーとで前記胸パット部と前記腕カバー部とを着脱可能としたことを特徴とするシートベルト用パット付日焼け防止カバー。
【請求項２】
腕に装着したときの腕カバー部の腕首に当たる部位にゴム入りの腕首絞り部を設けたことを特徴とする請求項１に記載のシートベルト用パット付日焼け防止カバー。
【請求項３】
腕カバー部の先端部に指を挿し込みに可能とした指止輪を設けたことを特徴とする請求項１又は２に記載のシートベルト用パット付日焼け防止カバー。
【請求項４】
胸パット部のカバー収納ポケットの開口部にファスナーを設けたことを特徴とする請求項１から３のうちいずれか一項に記載のシートベルト用パット付日焼け防止カバー。
【請求項５】
胸パット部の裏側の布体の表面又は／及びカバー収納ポケットの表面に補助ポケットを一体的に設けたことを特徴とする請求項１から４のうちいずれか一項にシートベルト用パット付日焼け防止カバー。
【請求項６】
腕カバー部の布地が、紫外線の遮断機能を有する薄手の生地であることを特徴とする請求項１から５のうちいずれか一項にシートベルト用パット付日焼け防止カバー。
【発明の詳細な説明】
【技術分野】
【０００１】
本発明は、自動車のシートベルト用パットに連結して用いる日焼け防止カバーに関する。
【背景技術】
【０００２】
自動車に乗っていると窓側の腕だけが直射日光の紫外線を受けて黒く日焼けし易く、そのような日焼けを防止するために筒状に腕を覆う特許文献１の発明や、腕カバーを衣服の袖口にクリップで留められるようにした特許文献２に記載の考案のような腕カバーが提案されている。
上記特許文献１の発明では、丸編により筒状に作られた日除け腕カバーの手首覆い部よりも先端の掌側をカットして編地の先端部の内面に指を挿通する紐条体を装着することによりハンドルを握りやすくしてある。
上記特許文献２の考案では、腕カバーの肩側にクリップが固着されていて、衣服の袖口に腕カバーをクリップで固定できるようになっている。
一方、クッション材で硬いシートベルトをカバーして胸に擦れる痛みを防止するために、袋の中に人工綿のクッション材を入れ、その袋に付けたカバーとで二つ折りして両端に取付けた面ファスナーで自動車のシートベルト用に装着できるようにしたシートベルト用の保護具（特許文献３）が提案されている。
【特許文献１】特開平１０−１５８９１１号公報
【特許文献２】実開平３−１２８６１７号公報
【特許文献３】登録実用新案第３０２４９２１号公報
【発明の開示】
【発明が解決しようとする課題】
【０００３】
上記特許文献１及び特許文献２などの従来の腕カバーは、使用しないときにはハンドバッグやポケットにいれて携帯するか又は自動車の収納ボックスになどに入れて保管することになるが、該腕カバーを使用中の乗り降りの際には保管場所から毎回取り出して着脱することになるので大変面倒であり、また使用しないときの持ち運びは煩わしいものであった。
特に、上記特許文献１の発明では肩の部分までは覆うことができないためその部分の日焼けは防止できない。また上記特許文献２の発明では、着用の衣服の袖口にクリップで留めるものなので、衣服に袖がない場合には留めることはできず、また着脱する際にはクリップで袖口を損傷するおそれがあり、さらに着用する衣服は袖の長さに決まりはないので着替える度にカバーの長さを調節して止めなければならない難点があった。
そこで本発明は、自動車のシートベルト用の保護具が上記腕カバーと極めて近い位置にあることに着眼し、両者を組み合わせることによって、腕カバーを使用中は保護具のパット材でシートベルトが胸に擦れる痛みも防止できるようにするとともに腕カバーで肩から指先まで腕部分を完全に日光から保護することができ、また、腕カバーを不使用中は腕カバーを保護具に収納して保管しておくことができて邪魔にならず、さらに、腕カバーを使用したいときにはいつでも簡単且つ確実に使用することが可能となるシートベルト用パット付の日焼け防止カバーを提供することを目的とする。
【課題を解決するための手段】
【０００４】
上記課題を解決するために、本発明のシートベルト用パット付日焼け防止カバーは、請求項１に記載の発明にあっては、自動車のシートベルトに着脱する布製の胸パット部と、該胸パット部に着脱する布製の腕カバー部とから成る。
前記胸パット部は、シートベルトを包持可能に二つ折りした布体の両側端の辺縁部位の対向面に面ファスナーを取着してパット本体を形成し、該パット本体の表側に開口部を窓側に向けたカバー収納ポケットを一体的に設け、該カバー収納ポケットの内部面に面ファスナーを設ける。
前記腕カバー部は、布地の長手側の両辺縁の数箇所にそれぞれ対応させて取着した面ファスナーを付着させて該布地を筒状にして片腕全体を被覆可能とし、該布地の短手側の基端部の中央から布地の中央に向けて前記カバー収納ポケットの深さよりも少し長い切れ目を形成し、該切れ目の両側の基端部の辺縁部に沿ってそれぞれ前記カバー収納ポケット内の面ファスナーに対応した面ファスナーを設ける。
そして、前記カバー収納ポケット内の面ファスナーと前記腕カバー部の面ファスナーとで前記胸パット部と前記腕カバー部とを着脱可能としたことを特徴とする。
【０００５】
請求項２に記載の発明にあっては、上記発明の構成において、腕に装着したときの腕カバー部の腕首に当たる部位にゴム入りの腕首絞り部を設けたことを特徴とする。
【０００６】
請求項３に記載の発明にあっては、上記発明の構成において、腕カバー部の先端部に指を挿し込みに可能とした指止輪を設けたことを特徴とする。
【０００７】
請求項４に記載の発明にあっては、上記発明の構成において、胸パット部のカバー収納ポケットの開口部にファスナーを設けたことを特徴とする。
【０００８】
請求項５に記載の発明にあっては、上記発明の構成において、胸パット部の裏側の布体の表面又は／及びカバー収納ポケットの表面に補助ポケットを一体的に設けたことを特徴とする。
【０００９】
請求項６に記載の発明にあっては、上記発明の構成において、腕カバー部の布地が、紫外線の遮断機能を有する薄手の生地であることを特徴とする。
【発明の効果】
【００１０】
本発明のシートベルト用パット付日焼け防止カバーは、胸パット部と繋がった腕カバー部により自動車の運転者の腕を日焼け防止カバーで肩から指先まで完全に腕部分をカバーするので腕全体の日焼けが防止できるようになる。
また、使用中はシートベルトが胸に擦れる痛みも防止できて運転しやすいシートベルト用パットに腕カバー部が係留でき、使用しないときには胸パット部のカバー収納ポケットに腕カバー部を収納して保管しておけるので邪魔にならず、さらに使用したいときにはいつでも簡単且つ確実に使用することが可能となる。
また、衣服の袖にクリップなどで留めるのではないので着用する衣服には装着が影響されず、衣服の袖口の損傷も起こることはない。
さらに、腕カバー部には紫外線の遮断機能を有する薄手の生地を使用すれば折り畳んだときのコンパクト化と腕に装着したときの日焼け防止効果を高めることが可能となる。
【発明を実施するための最良の形態】
【００１１】
本発明のシートベルト用パット付日焼け防止カバーの形態について以下詳しく説明する。
本発明は、図１及び図２に示すように、自動車のシートベルトＢに着脱する布製の胸パット部１と、該胸パット部１に着脱する布製の腕カバー部２の２つの部分で構成される。
【００１２】
前記胸パット部１は、図２及び図４に示すように、パット本体３部分を自動車のシートベルトＢを包持可能に二つ折りした布体４の表側の布体４ａと裏側の布体４ｂの両側端の辺縁部位４ｃ、４ｄの対向面に面ファスナー５ａ、５ｂを取着して形成する。
そして、そのパット本体３の表側にはファスナー２１を設けた開口部８を窓側に向けたカバー収納ポケット６とが布体７を縫着（図４の符号２６は縫着部２６である）して一体的に形成し、該カバー収納ポケット６の内面に面ファスナー９を取着して構成される。
該面ファスナー９はカバー収納ポケット６の表側の内部面６ａと裏側の内部面６ｂのうちいずれか一方に設けるか、又は両方の内部面６ａ、６ｂ（図４では裏側の内部面６ｂに設けた態様を示す）に設けても良い。
【００１３】
前記腕カバー部２は、図２に示すように、布地１０の長手側の両辺縁１０ａ、１０ｂの数箇所にそれぞれ対応させて取着した面ファスナー１１、１２を付着させて該布地１０を筒状にして（図３に示す）、図１に示すように、片腕Ｕ全体を被覆可能する。そして、該布地１０の短手側の基端部１０ｃの中央から布地１０の中央に向けて前記カバー収納ポケット６の深さよりも少し長い切れ目１３を形成し、該切れ目１３の両側の基端部の辺縁部１４、１５に沿ってそれぞれ前記カバー収納ポケット６内の面ファスナー９に対応した面ファスナー１６、１７を設けて構成される。
前記腕カバー部２の布地１０は、綿、シルク、合成繊維などカバー収納ポケット６内にコンパクトに納まるように内薄手に生地が良く、さらにＵＶ（紫外線）カットと呼ばれる直射日光に含まれる紫外線を有効に遮断できるように加工された生地２３がより適している。
【００１４】
そして、腕Ｕに装着したときの腕カバー部２の腕首Ｌに当たる部位にゴム１９入りの腕首絞り部１８を設け、腕カバー部２の短手側の先端部１０ｄに指を挿し込みに可能とした指止輪２０を設ける。この指止輪２０に指を差し込むときにゴム１９が伸縮するので腕カバー部２が容易に装着できる。
【００１５】
また、図６に示すように、胸パット部１の裏側の布体４ｂとカバー収納ポケット６のいずれか一方の表面又は両面には補助ポケット２２を一体的に設けることが可能である。
この補助ポケット２２には、引出し紐２５を取り付けた補充パット２４が収納でき、前記胸パット部１のクッション性はさらに増すのでその補充パット２４を入れた補助ポケット２２をシートベルトの裏側にしたときには胸の擦れの痛さがさらに緩和される。
まお、本発明で使用する面ファスナーは、面的に相互に付着する機能を備えた各種合成樹脂製の面ファスナーを使用することができる。
【００１６】
晴天下の直射日光に含まれる紫外線が多い日に本発明を使用するときには、左手の場合は、前記胸パット部１のカバー収納ポケット６の開口部８を左の窓側に向けて装着し、カバー収納ポケット６内に折り畳んで収納（図５に示す）しておいた腕カバー部２を引き出して、前記カバー収納ポケット６内の面ファスナー９に前記腕カバー部２の切れ目１３の前側の基端部の辺縁部１４の面ファスナー１６を付着させて前記胸パット部１と前記腕カバー部２とを接続（図５に示す）する。
前記腕カバー部２の切れ目１３の後側となる基端部の辺縁部１５は背中に掛けて左肩を覆うように被せる。
そして、前記腕カバー部２を腕Ｕに載せ、面ファスナー１１、１２を付着させて該布地１０を筒状にして片腕Ｕ全体を被覆して装着（図１に示す）する。
そしてさらに、腕カバー部２の先端部１０ｄの指止輪２０には左手の中指を挿し込む。
本発明ではこのように、指先から肩までの片腕の全体を覆うことが可能となる。
また、右手の場合は、前記胸パット部１のカバー収納ポケット６の開口部８を右の窓側に向けて装着する。そして前記カバー収納ポケット６内の面ファスナー９に前記腕カバー部２の切れ目１３の前側となる基端部の辺縁部１５の面ファスナー１７を付着させて前記胸パット部１と前記腕カバー部２とを接続して用いる。
【００１７】
また、前記腕カバー部２を使用しない雨の日などの直射日光に含まれる紫外線が少ない日には、シートベルトＢに着けたままで前記カバー収納ポケット６に前記腕カバー部２を折り畳んで収納しておくことができる。
このように前記腕カバー部２を使用しないときにはシートベルトＢに着けたままとしておけるので、使用したいときにはそこからすぐに引き出していつでも簡単に且つ確実に使用することが可能となる。
前記腕カバー部２の収納にあたっては、前記胸パット部１のカバー収納ポケット６内の面ファスナー９に前記腕カバー部２の切れ目１３の前側の基端部の辺縁部１４の面ファスナー１６を付着させたままにして折り畳み収納しておくこともでき、こうすれば毎回、前記胸パット部１に接続させる手間が省けて楽である。
【産業上の利用可能性】
【００１８】
本発明は、自動車のシートベルト用パット付日焼け防止カバーに用いるが、自動車の他にシートベルトを備えた建設や農耕用の乗り物にも使用することが可能である。
【図面の簡単な説明】
【００１９】
【図１】本発明の使用状態を示す斜視図である。
【図２】（イ）は胸パット部の（ロ）は腕カバー部の分離した状態を示す各斜視図である。
【図３】胸パット部と腕カバー部を接続した状態を示す各斜視図である。
【図４】胸パット部をシートベルトに装着した状態を示す縦断斜視図である。
【図５】胸パット部をシートベルトに装着しカバー収納ポケット内に腕カバー部を収納した状態を示す縦断斜視図である。
【図６】補助ポケットを設けた形態の使用状態を示す斜視図である。
【符号の説明】
【００２０】
１      胸パット部
２      腕カバー部
３      胸パット本体
４      布体
４ａ    表側の布体
４ｂ    裏側の布体
４ｃ    布体の辺縁部位
４ｄ    布体の辺縁部位
５ａ    面ファスナー
５ｂ    面ファスナー
６      カバー収納ポケット
６ａ    表側の内部面
６ｂ    裏側の内部面
７      布体
８      開口部
９      面ファスナー
１０    布地
１０ａ  長手側の辺縁
１０ｂ  長手側の辺縁
１０ｃ  短手側の基端部
１０ｄ  短手側の先端部
１１    面ファスナー
１２    面ファスナー
１３    切れ目
１４    基端部辺縁部
１５    基端部辺縁部
１６    面ファスナー
１７    面ファスナー
１８    腕首絞り部
１９    ゴム
２０    指止輪
２１    ファスナー
２２    補助ポケット
２３    生地
２４    補充パット
２５    補充パット引出し紐
２６    縫着部
Ｂ      シートベルト
Ｕ      腕
Ｌ      腕首
【図１】
2007112379.tif 000003
【図２】
2007112379.tif 000004
【図３】
2007112379.tif 000005
【図４】
2007112379.tif 000006
【図５】
2007112379.tif 000007
【図６】
2007112379.tif 000008